(57)【要約】【課題】多段式のシステムベッドにおいて、高い位置にあるベッドに使用者が上がった後、仮に何等かの理由でサイドフレームに掛けてある立て梯子が外れてしまった場合でも、使用者が安全に下りることができるようにしたシステムベッドを提供する。【解決手段】システムベッド(B1)は、ヘッドボード(1a)、フットボード(2a)、サイドフレーム(3,3a)、床部(4,4a)及びヘッドボードとフットボードの何れか一方又は双方に形成されている梯子部(20a)を有する下段ベッド(b1a)と、下段ベッドに積み重ねて固定及び取り外しができ、ヘッドボード(1c)とフットボード(2c)の何れか一方又は双方に形成されている梯子部(20c)を有する中段ベッド(b2c)と、中段ベッドに積み重ねて固定及び取り外しができ、ヘッドボード(1c)とフットボード(2c)の何れか一方又は双方に形成されている梯子部(20c)を有する上段ベッド(b3c)、及び立て梯子(5)を備えている。【選択図】図１
2015096122.tif 000002
【特許請求の範囲】
【請求項１】
ヘッドボード、フットボード、サイドフレーム、床部及び前記ヘッドボードと前記フットボードの何れか一方又は双方に形成されている梯子部を有する下段ベッドと、
該下段ベッドに積み重ねて固定及び取り外しができ、ヘッドボード、フットボード、サイドフレーム、床部及び前記ヘッドボードと前記フットボードの何れか一方又は双方に形成されている梯子部を有する中段ベッドと、
該中段ベッドに積み重ねて固定及び取り外しができ、ヘッドボード、フットボード、サイドフレーム、床部及び前記ヘッドボードと前記フットボードの何れか一方又は双方に形成されている梯子部を有する上段ベッドとを備える
システムベッド。
【請求項２】
前記下段ベッド、前記中段ベッド及び前記上段ベッドは、それぞれ下端から床部までの高さが異なる複数種類が設定されており、前記下段ベッド、前記中段ベッド及び前記上段ベッドが、それぞれ複数種類が設定された中から選択された一つのベッドである
請求項１のシステムベッド。
【請求項３】
ヘッドボード、フットボード、サイドフレーム、床部及び前記ヘッドボードと前記フットボードの何れか一方又は双方に形成されている梯子部を有する下段ベッドと、
該下段ベッドに積み重ねて固定及び取り外しができ、ヘッドボード、フットボード、サイドフレーム、床部及び前記ヘッドボードと前記フットボードの何れか一方又は双方に形成されている梯子部を有する上段ベッドとを備える
システムベッド。
【請求項４】
前記下段ベッド及び前記上段ベッドは、それぞれ下端から床部までの高さが異なる複数種類が設定されており、前記下段ベッド及び前記上段ベッドが、それぞれ複数種類が設定された中から選択された一つのベッドである
請求項３のシステムベッド。
【請求項５】
前記梯子部が、前記ヘッドボード又は前記フットボードの支脚としての機能を有する
請求項１、２、３又は４のシステムベッド。
【請求項６】
前記梯子部が、前記ヘッドボード同士が積み重なったときに、又は前記フットボード同士が積み重なったときに、上下方向につながるよう配置されている
請求項１、２、３、４又は５のシステムベッド。
【請求項７】
前記ヘッドボードが棚部を有している
請求項１、２、３、４、５又は６のシステムベッド。
【請求項８】
ヘッドボード、フットボード、サイドフレーム、床部及び前記ヘッドボードと前記フットボードの何れか一方又は双方に形成されている梯子部を有する中段ベッドと、
該中段ベッドに積み重ねて固定及び取り外しができ、ヘッドボード、フットボード、サイドフレーム、床部及び前記ヘッドボードと前記フットボードの何れか一方又は双方に形成されている梯子部を有する上段ベッドと、
前記中段ベッドの前記床部の下方の空間に全部又は一部を収容することができ、ヘッドボード、フットボード、サイドフレーム及び床部を有し移動自在な可動ベッドとを備える
システムベッド。
【請求項９】
ヘッドボード、フットボード、サイドフレーム、床部及び前記ヘッドボードと前記フットボードの何れか一方又は双方に形成されている梯子部を有する上段ベッドと、
該上段ベッドの前記床部の下方の空間に全部又は一部を収容することができ、ヘッドボード、フットボード、サイドフレーム及び床部を有し移動自在な可動ベッドとを備える
システムベッド。
【請求項１０】
ヘッドボードとフットボードの何れか一方又は双方に形成されている梯子部を有する下段ベッドと、
該下段ベッドに積み重ねて固定及び取り外しができ、ヘッドボードとフットボードの何れか一方又は双方に形成されている梯子部を有する中段ベッドと、
該中段ベッドに積み重ねて固定及び取り外しができ、ヘッドボードとフットボードの何れか一方又は双方に形成されている梯子部を有する上段ベッドとを備える
システムベッド。
【発明の詳細な説明】
【技術分野】
【０００１】
本発明は、システムベッドに関するものである。更に詳しくは、多段式のシステムベッドにおいて、高い位置にある上段のベッドに使用者が上がった後、仮に何等かの理由でサイドフレームに掛けてある梯子が外れてしまった場合でも、上段の使用者が安全に下りることができるようにしたシステムベッドに関する。
【背景技術】
【０００２】
複数のベッドで構成され、これらのベッドの中から単体で、又は複数を適宜組み合わせて使用できるようにしたシステマチックなベッドがある（例えば特許文献１参照）。
特許文献１に記載されたベッドは、第１、第２の二つのベッドで構成され、各ベッドは頭側と脚側の一対の脚枠体と、両脚枠体を連結する前後一対の側枠体と、両脚枠体と側枠体で囲まれた空間に保持する床部材とを備え、両脚枠体はそれぞれ両側に支持脚を備え、両脚枠体の対応する支持脚間をそれぞれ側枠体で連結している。
【０００３】
そして、第１ベッドの支持脚の全高より、第２ベッドの支持脚の下端から第２ベッドの床部材の下面までの高さが高く設定されており、第１ベッドの脚側の一部を第２ベッドの床部材の下方に位置させて交差可能な構造である。これにより、上下二段に積み重ねた二段ベッド態様の他、分離して一段ベッド態様とした場合に、この二つのベッドを組み合わせて複合化し、省スペース化を図ることができる複合ベッド態様を実現することが可能である。
【先行技術文献】
【特許文献】
【０００４】
【特許文献１】特開２００９−２９７３８１号公報
【発明の概要】
【発明が解決しようとする課題】
【０００５】
しかしながら、上記従来のベッドには、次のような課題があった。
すなわち、第１、第２のベッドを積み重ねて二段ベッドとして使用する場合、上段のベッドを使用する人が安全に上り下りできるように、上段の第２ベッドのサイドフレームに立て梯子を掛けておく必要がある。しかし、上段に使用者が上がった後、仮に何等かの理由で立て梯子が外れてしまった場合には、誰でも安全に下りることができるわけではない。まして、ベッドが二段ではなく三段になると、同様のケースでは、特に最上段の使用者は安全に下りることは難しく、危険である。
【０００６】
本発明は、以上の点に鑑みて創案されたものであり、多段式のシステムベッドにおいて、高い位置にある上段のベッドに使用者が上がった後、仮に何等かの理由でサイドフレームに掛けてある立て梯子が外れてしまった場合でも、上段の使用者が安全に下りることができるようにしたシステムベッドを提供することを目的とする。
【課題を解決するための手段】
【０００７】
（１）本発明は、ヘッドボード、フットボード、サイドフレーム、床部及び前記ヘッドボードと前記フットボードの何れか一方又は双方に形成されている梯子部を有する下段ベッドと、該下段ベッドに積み重ねて固定及び取り外しができ、ヘッドボード、フットボード、サイドフレーム、床部及び前記ヘッドボードと前記フットボードの何れか一方又は双方に形成されている梯子部を有する中段ベッドと、該中段ベッドに積み重ねて固定及び取り外しができ、ヘッドボード、フットボード、サイドフレーム、床部及び前記ヘッドボードと前記フットボードの何れか一方又は双方に形成されている梯子部を有する上段ベッドとを備えるシステムベッドである。
【０００８】
（２）本発明は、前記下段ベッド、前記中段ベッド及び前記上段ベッドは、それぞれ下端から床部までの高さが異なる複数種類が設定されており、前記下段ベッド、前記中段ベッド及び前記上段ベッドが、それぞれ複数種類が設定された中から選択された一つのベッドである構成とすることができる。
【０００９】
この場合は、下段ベッド、中段ベッド及び上段ベッドのそれぞれのベッドの下端から床部までの高さを適宜複数段階で設定することができる。すなわち、例えば下段ベッドの床部の高さを充分に高くして床面との間の空間を大きく取れば、この空間を有用な収容空間部として利用できる。また、中段ベッドの床部を充分に高く設定して、下段ベッドを使用する使用者の使用空間を大きく取り、使いやすいようにしたり、同様に上段ベッドの床部を充分に高く設定して、中段ベッドを使用する使用者の使用空間を大きく取り、使いやすいようにする等、ベッドを作ったり変形する際の自由度を高めることができる。
【００１０】
（３）本発明は、ヘッドボード、フットボード、サイドフレーム、床部及び前記ヘッドボードと前記フットボードの何れか一方又は双方に形成されている梯子部を有する下段ベッドと、該下段ベッドに積み重ねて固定及び取り外しができ、ヘッドボード、フットボード、サイドフレーム、床部及び前記ヘッドボードと前記フットボードの何れか一方又は双方に形成されている梯子部を有する上段ベッド（三段ベッドの場合の中段ベッドと同程度の高さ）とを備えるシステムベッドである。
【００１１】
（４）本発明は、前記下段ベッド及び前記上段ベッドは、それぞれ下端から床部までの高さが異なる複数種類が設定されており、前記下段ベッド及び前記上段ベッドが、それぞれ複数種類が設定された中から選択された一つのベッドである構成とすることができる。
【００１２】
この場合は、下段ベッド及び上段ベッドのそれぞれのベッドの下端から床部までの高さを適宜複数段階で設定することができる。すなわち、例えば下段ベッドの床部の高さを充分に高くして床面との間の空間を大きく取れば、この空間を有用な収容空間部として利用できる。また、上段ベッドの床部を充分に高く設定して、下段ベッドを使用する使用者の使用空間を大きく取り、使いやすいようにする等、ベッドを作ったり変形する際の自由度を高めることができる。
【００１３】
（５）本発明は、前記梯子部が、前記ヘッドボード又は前記フットボードの支脚としての機能を有する構成とすることができる。
【００１４】
この場合は、特に梯子部が、一般的な二本の長い部材に幾段もの横木を取り付けて足掛りとした構造であれば、二本の長い部材が支脚を代替することになり、支脚が一本である場合と比較してヘッドボード又はフットボードの強度が強くなり、ベッド全体の強度も増す利点がある。
【００１５】
（６）本発明は、前記梯子部が、前記ヘッドボード同士が積み重なったときに、又は前記フットボード同士が積み重なったときに、上下方向につながるよう配置されている構成とすることができる。
【００１６】
この場合は、多段ベッドを形成したときに、ヘッドボード又はフットボードに設けられている梯子が上下方向につながることにより、使用者が上り下りしやすい利点がある。また、デザイン性にも優れる。
【００１７】
（７）本発明は、前記ヘッドボードが棚部を有している構成とすることができる。
【００１８】
この場合は、棚部を本棚として、或いは各種の物を置くスペースとして利用できるので、使用者の使い勝手に供することができる。
【００１９】
（８）本発明は、ヘッドボード、フットボード、サイドフレーム、床部及び前記ヘッドボードと前記フットボードの何れか一方又は双方に形成されている梯子部を有する中段ベッドと、該中段ベッドに積み重ねて固定及び取り外しができ、ヘッドボード、フットボード、サイドフレーム、床部及び前記ヘッドボードと前記フットボードの何れか一方又は双方に形成されている梯子部を有する上段ベッドと、前記中段ベッドの前記床部の下方の空間に全部又は一部を収容することができ、ヘッドボード、フットボード、サイドフレーム及び床部を有し移動自在な可動ベッドとを備えるシステムベッドである。
【００２０】
（９）本発明は、ヘッドボード、フットボード、サイドフレーム、床部及び前記ヘッドボードと前記フットボードの何れか一方又は双方に形成されている梯子部を有する上段ベッド（三段ベッドの場合の中段と同程度の高さ）と、該上段ベッドの前記床部の下方の空間に全部又は一部を収容することができ、ヘッドボード、フットボード、サイドフレーム及び床部を有し移動自在な可動ベッドとを備えるシステムベッドである。
【００２１】
（１０）本発明は、ヘッドボードとフットボードの何れか一方又は双方に形成されている梯子部を有する下段ベッドと、該下段ベッドに積み重ねて固定及び取り外しができ、ヘッドボードとフットボードの何れか一方又は双方に形成されている梯子部を有する中段ベッドと、該中段ベッドに積み重ねて固定及び取り外しができ、ヘッドボードとフットボードの何れか一方又は双方に形成されている梯子部を有する上段ベッドとを備えるシステムベッドである。
【００２２】
（作用）
本発明のシステムベッドの作用を説明する。
下段ベッド、中段ベッド及び上段ベッドを備えるシステムベッドは、下段ベッド、中段ベッド及び上段ベッドを順に積み重ねて相互に固定することにより組み合せ、一台の三段ベッドとして使用できる。また、下段ベッド、中段ベッド及び上段ベッドを分離し、それぞれ単独で三台の一段ベッドとして使用できる。更には、下段ベッド、中段ベッド及び上段ベッドのうち二つのベッドを組み合せ、それぞれ一台の二段ベッド及び一段ベッドとして使用できる。
そして、例えばシステムベッドを三段ベッドとして使用する場合、高い位置にある上段ベッドや中段ベッドに使用者が上がった後、仮に何等かの理由でサイドフレームに掛けてある梯子が外れてしまった場合でも、上段や中段にいる使用者は、ヘッドボード又はフットボードに設けてある梯子部を利用して安全に下りることができる。この作用については、下記下段ベッド及び上段ベッドを備える二段のシステムベッドにおいても実質的に同様である。
【００２３】
なお、使用しないベッドを収容しておく場所が確保できれば、例えば子供が一人のときは一段ベッドのみを使用し、子供が二人になったときは一段ベッドを二台か、又は二段ベッドを一台使用し、子供が三人になったときは、一段ベッドを三台か、二段ベッドを一台、及び一段ベッドを一台か、或いは三段ベッドを一台使用して対応できる。
更に、販売形態としては、最初に下段ベッド等、一台のベッドを購入したユーザーが、節目ごとに中段ベッドや上段ベッドを追加購入できるようにすれば、上記のようにしてベッドを無駄なくシステムアップしていくことが可能である。
【００２４】
下段ベッド及び上段ベッドを備えるシステムベッドは、下段ベッド及び上段ベッドを順に積み重ねて相互に固定することにより組み合せ、一台の二段ベッドとして使用できる。また、下段ベッドと上段ベッドを分離し、それぞれ単独で二台の一段ベッドとして使用できる。
なお、使用しないベッドを収容しておく場所が確保できれば、例えば子供が一人のときは一段ベッドのみを使用し、子供が二人になったときは一段ベッドを二台か、又は二段ベッドを一台使用して対応できる。
更に、販売形態としては、最初に下段ベッド等、一台のベッドを購入したユーザーが、節目で上段ベッドを追加購入できるようにすれば、上記のようにしてベッドを無駄なくシステムアップしていくことが可能である。
【００２５】
可動ベッド、中段ベッド及び上段ベッドを備えるシステムベッドは、中段ベッドと上段ベッドを順に積み重ねて相互に固定することにより組み合せ、更に可動ベッドを中段ベッドの床部の下方の空間に全部又は一部を収容することにより、実質的に一台の三段ベッドとして使用できる。また、中段ベッド、上段ベッドを分離し、可動ベッドを中段ベッドから離して、それぞれ単独で三台の一段ベッドとして使用できる。更には、可動ベッド、中段ベッド及び上段ベッドのうち二つのベッドを組み合せて一台の二段ベッドとし、残っているベッドを一台の一段ベッドとして使用できる。
【００２６】
そして、例えばシステムベッドを三段ベッドとして使用する場合、高い位置にある上段ベッドや中段ベッドに使用者が上がった後、仮に何等かの理由でサイドフレームに掛けてある梯子が外れてしまった場合でも、上段や中段にいる使用者は、ヘッドボード又はフットボードに設けてある梯子部を利用して安全に下りることができる。この作用については、下記可動ベッド及び上段ベッドを備える二段のシステムベッドにおいても実質的に同様である。
【００２７】
なお、使用しないベッドを収容しておく場所が確保できれば、例えば子供が一人のときは一段ベッドのみを使用し、子供が二人になったときは一段ベッドを二台か、又は二段ベッドを一台使用し、子供が三人になったときは、一段ベッドを三台か、二段ベッドを一台、及び一段ベッドを一台か、或いは三段ベッドを一台使用して対応できる。
更に、販売形態としては、最初に可動ベッド等、一台のベッドを購入したユーザーが、節目ごとに中段ベッドや上段ベッドを追加購入できるようにすれば、上記と同様にベッドを無駄なくシステムアップしていくことが可能である。
【００２８】
可動ベッド及び上段ベッドを備えるシステムベッドは、上段ベッドの床部の下方の空間に可動ベッドの全部又は一部を収容して組み合せ、実質的に一台の二段ベッドとして使用できる。また、可動ベッドと上段ベッドを離し、それぞれ単独で二台の一段ベッドとして使用できる。
なお、使用しないベッドを収容しておく場所が確保できれば、例えば子供が一人のときは一段ベッドのみを使用し、子供が二人になったときは一段ベッドを二台か、又は二段ベッドを一台使用して対応できる。
更に、販売形態としては、最初に可動ベッド等、一台のベッドを購入したユーザーが、節目で上段ベッドを追加購入できるようにすれば、上記と同様にベッドを無駄なくシステムアップしていくことが可能である。
【発明の効果】
【００２９】
本発明は、多段式のシステムベッドにおいて、高い位置にある上段のベッドに使用者が上がった後、仮に何等かの理由でサイドフレームに掛けてある梯子が外れてしまった場合でも、上段の使用者がヘッドボード又はフットボードに設けてある梯子部を利用して安全に下りることができるようにしたシステムベッドを提供できる。
【図面の簡単な説明】
【００３０】
【図１】本発明のシステムベッドの第１実施の形態を示す斜視図である。
【図２】システムベッドの第２実施の形態を示す斜視図である。
【図３】図２に示すシステムベッドを構成する可動ベッドの斜視図である。
【図４】中低タイプのフットボードとヘッドボード（棚付き）を使用して形成した一段ベッドの斜視図である。
【図５】システムベッドの第３実施の形態を示す斜視図である。
【図６】システムベッドの第４実施の形態を示す斜視図である。
【図７】システムベッドの第５実施の形態を示す斜視図である。
【図８】システムベッドに使用するフットボードとヘッドボード（棚付き）の種類を示し、（ａ）は低タイプ、（ｂ）は中低タイプ、（ｃ）は中高タイプ、（ｄ）は高タイプの斜視図である。
【図９】システムベッドの第６実施の形態を示す斜視図である。
【図１０】システムベッドに使用するフットボードとヘッドボード（棚無し）の種類を示し、（ａ）は低タイプ、（ｂ）は中低タイプ、（ｃ）は中高タイプ、（ｄ）は高タイプの斜視図である。
【発明を実施するための形態】
【００３１】
本発明を図面に示した実施の形態に基づき詳細に説明する。
図１を参照する。
システムベッドＢ１は、下段ベッドｂ１ａ、中段ベッドｂ２ｃ及び上段ベッドｂ３ｃを有し、一段ベッド×３、二段ベッド×１＋一段ベッド×１、又は三段ベッド×１のそれぞれの形態で使用できるものである。なお、システムベッドは、安全が確保できれば、四段以上に設定することもできる。
【００３２】
ここで、まず図８を参照し、システムベッドＢ１及び後で説明するシステムベッドＢ２、Ｂ３、Ｂ４、Ｂ５、Ｂ６に使用するフットボードとヘッドボード（棚付き）について説明する。
図８（ａ）に示したものは低タイプ、（ｂ）は中低タイプ、（ｃ）は中高タイプ、（ｄ）は高タイプである。本実施の形態では、上記４タイプであるが、これに限定せず、２、３タイプ又は５タイプ以上に設定することもできる（後で説明する図１０に示す棚無しのフットボードとヘッドボードも同様）。
また、システムベッドＢ１、Ｂ２、Ｂ３、Ｂ４、Ｂ５、Ｂ６以外にも、上記各タイプのフットボードとヘッドボードを適宜組み合わせて使用することにより、構成やプロポーションが異なる多種類のシステムベッドを形成することができる。
【００３３】
低タイプのヘッドボード１ａは、平行な側板１１、１２及びそれらをつなぐ中部材１３を有し、中部材１３の上部側には棚部１９が形成されている（この構造を宮付きということがある）。
また、側板１１、１２の上面及び下面には、その上に載置されるヘッドボードを固定するためのピン孔１８がそれぞれ一箇所に形成されている。なお、低タイプのヘッドボード１ａは、通常は一番下に配置されるため、側板１１、１２の下面側にはピン孔を必ずしも設ける必要はない。また、側板１１、１２の後面の上部側には、後で説明するサイドフレーム３、３ａを固定するためのピン孔１６が形成されており、側板１１、１２の後面の下部側には、金具掛け１７が設けられている。
【００３４】
また、低タイプのフットボード２ａは、片側（図８で右側）に梯子部２０ａを有している。梯子部２０ａは、二本の縦部材２１、２２に足掛かりとなる横木２３を二段に取り付けた構造である。梯子部２０ａの反対側には支脚２４を有しており、梯子部２０ａと支脚２４は、上下二段の中部材２５でつながれている。梯子部２０ａの縦部材２１、２２の長さは、支脚２４と同じ長さであり、梯子部２０ａは支脚２４と同様に支脚としての機能を有している。
【００３５】
支脚２４及び縦部材２１、２２のそれぞれの上面には、その上に載置されるフットボードを固定するためのピン孔２８がそれぞれ一箇所に形成されている。また、支脚２４と縦部材２２の前面には、上記ヘッドボード１ａのピン孔１６及び金具掛け１７と同様のピン孔と金具掛け（何れも図では見えない）が設けられている。
【００３６】
なお、後で説明するヘッドボード１ｂ、１ｃ、１ｄの側板の長さは、上記ヘッドボード１ａを構成する側板１１、１２の長さと異なり、順次長くなるよう形成されているが、便宜上同じ符号を付して示している。また、後で説明するフットボード２ｂ、２ｃ、２ｄを構成する縦部材と支脚の長さは、上記フットボード２ａを構成する縦部材２１、２２、及び支脚２４の長さと異なり、順次長くなるように形成されているが、便宜上同じ符号を付して示している。また、それ以外の同等箇所についても同一の符号（ピン孔１６、１８、２８、金具掛け１７、中部材１３、２５、棚部１９等）を付している。
【００３７】
そして、中低タイプのヘッドボード１ｂは、上記ヘッドボード１ａと比較して側板１１、１２の長さがやや長くなっている。中低タイプのフットボード２ｂは、上記フットボード２ａと比較して、支脚２４及び梯子部２０ｂの長さ（縦部材２１、２２の長さ）がやや長くなっている。
また、中高タイプのヘッドボード１ｃは、上記ヘッドボード１ｂと比較して側板１１、１２の長さがやや長くなっている。中高タイプのフットボード２ｃは、上記フットボード２ｂと比較して、支脚２４及び梯子部２０ｃの長さ（縦部材２１、２２の長さ）がやや長くなっている。
【００３８】
更に、高タイプのヘッドボード１ｄは、上記ヘッドボード１ｃと比較して側板１１、１２の長さがやや長くなっている。また、高タイプのフットボード２ｄは、上記フットボード２ｃと比較して、支脚２４及び梯子部２０ｄの長さ（縦部材２１、２２の長さ）がやや長くなっている。
なお、上記各支脚と各梯子部の長さの違いは、サイドフレーム３、３ａが取り付けられる箇所から下の長さのみに反映されており、ベッドとして組み立てたときには、支脚２４や梯子部２０ａ、２０ｂ、２０ｃ、２０ｄの下端から床部４、４ａまでの高さが異なる。
【００３９】
次に、上記システムベッドＢ１を構成する下段ベッドｂ１ａ、中段ベッドｂ２ｃ及び上段ベッドｂ３ｃについて説明する。なお、図１において、下段ベッドｂ１ａ、中段ベッドｂ２ｃ及び上段ベッドｂ３ｃに使用されている上記ヘッドボード１ａ、１ｃ及びフットボード２ａ、２ｃの細部の符号については、図面を見やすくするために省略している。
これについては、後で説明する図２、図５、図６、図７及び図９に示したシステムベッドＢ２、Ｂ３、Ｂ４、Ｂ５、Ｂ６、及び図４に示した下段ベッドｂ２ｂも同様である。
【００４０】
下段ベッドｂ１ａは、上記低タイプのヘッドボード１ａとフットボード２ａを使用し、ヘッドボード１ａとフットボード２ａの間の両側にサイドフレーム３、３ａを装着し、更にサイドフレーム３、３ａ間に床部４、４ａを載置して形成されている。なお、サイドフレーム３、３ａ及び床部４、４ａは、後で説明する可動ベッドｂ４を除く全ベッドにおいて同じものが使用される。
【００４１】
中段ベッドｂ２ｃは、上記中高タイプのヘッドボード１ｃとフットボード２ｃを使用し、ヘッドボード１ｃとフットボード２ｃの間の両側にサイドフレーム３、３ａを装着し、更にサイドフレーム３、３ａ間に床部４、４ａを載置して形成されている。
また、上段ベッドｂ３ｃは、上記中高タイプのヘッドボード１ｃとフットボード２ｃを使用し、ヘッドボード１ｃとフットボード２ｃの間の両側にサイドフレーム３、３ａを装着し、更にサイドフレーム３、３ａ間に床部４、４ａを載置して形成されている。
【００４２】
そして、下段ベッドｂ１ａの上には、中段ベッドｂ２ｃがピン孔１８を合わせるようにし、各ピン孔１８にピン（図示省略）を通して載置されて実質的に固定され、中段ベッドｂ２ｃの上には、上段ベッドｂ３ｃがピン孔１８を合わせるようにし、各ピン孔１８にピンを通して載置されて実質的に固定され、一体化されている。また、中段ベッドｂ２ｃと上段ベッドｂ３ｃの一方のサイドフレーム３には、それぞれの床部４、４ａの高さに長さを合わせた立て梯子５が掛けられている。
【００４３】
これにより、下段ベッドｂ１ａの梯子部２０ａと中段ベッドｂ２ｃ及び上段ベッドｂ３ｃの各梯子部２０ｃは、上下方向に繋がり、システムベッドＢ１は、各ヘッドボード１ａ、１ｃに棚部１９がある三段ベッドとして使用可能である。なお、上記立て梯子５は、後で説明するシステムベッドＢ２、Ｂ３、Ｂ４、Ｂ５、Ｂ６においても同様に掛けられ、これらには長さが違うものがあるが、便宜上、同じ符号（５）を付して示している。
【００４４】
（作用）
図１を参照し、システムベッドＢ１の作用を説明する。
システムベッドＢ１は、上記のように一台の三段ベッドとして使用できる他、例えば下段ベッドｂ１ａ、中段ベッドｂ２ｃ及び上段ベッドｂ３ｃを分離し、それぞれ単独で三台の一段ベッドとして使用できる。更には、下段ベッドｂ１ａ、中段ベッドｂ２ｃ及び上段ベッドｂ３ｃのうち二つのベッドを組み合せて一台の二段ベッドとし、残りのベッドを一台の一段ベッドとして使用できる。
【００４５】
そして、システムベッドＢ１を三段ベッドとして使用する場合、高い位置にある上段ベッドｂ３ｃや中段ベッドｂ２ｃに使用者が上がった後、仮に何等かの理由でサイドフレーム３に掛けてある立て梯子５が外れてしまった場合でも、上段ベッドｂ３ｃや中段ベッドｂ２ｃにいる使用者は、各フットボード２ａ、２ｃ、２ｃに設けてある梯子部２０ａ、２０ｃ、２０ｃを利用して安全に下りることができる。この作用については、後で説明するシステムベッドＢ２、Ｂ３、Ｂ４、Ｂ５、Ｂ６においても実質的に同様である。
【００４６】
なお、使用しないベッドを収容しておく場所が確保できれば、例えば子供が一人のときは、一段ベッドとして下段ベッドｂ１ａのみを使用し、子供が二人になったときは中段ベッドｂ２ｃと上段ベッドｂ３ｃを二台の一段ベッドとするか、又は中段ベッドｂ２ｃと上段ベッドｂ３ｃを積み重ねて一台の二段ベッドとして使用して対応できる。
【００４７】
更に子供が三人になったときは、下段ベッドｂ１ａ、中段ベッドｂ２ｃ及び上段ベッドｂ３ｃを三台の一段ベッドとするか、下段ベッドｂ１ａと中段ベッドｂ２ｃを積み重ねた一台の二段ベッド、及び上段ベッドｂ３ｃを一台の一段ベッドとするか、或いは下段ベッドｂ１ａ、中段ベッドｂ２ｃ及び上段ベッドｂ３ｃを積み重ねた一台の三段ベッドを使用して対応できる。
【００４８】
なお、販売形態として、最初に下段ベッドｂ１ａ等、一台のベッドを購入したユーザーが、中段ベッドｂ２ｃや上段ベッドｂ３ｃを追加購入できるようにすれば、例えば上記のように子供が生まれる節目ごとに必要なベッドを購入してシステムアップしていくことが可能であり、下段ベッドｂ１ａ、中段ベッドｂ２ｃ及び上段ベッドｂ３ｃを最初から一度に揃える場合と比較して、スペース効率的にも費用的にも無駄がなく合理的である。
【００４９】
図２及び図３を参照する。
システムベッドＢ２は、可動ベッドｂ４、中段ベッドｂ２ｄ及び上段ベッドｂ３ｄを有し、一段ベッド×３、二段ベッド×１＋一段ベッド×１、又は三段ベッド×１のそれぞれの形態で使用できるものである。
【００５０】
ここで、図３を参照して可動ベッドｂ４の構造を説明する。
可動ベッドｂ４は、上記低タイプのヘッドボード１ａ及びフットボード２ａとサイズではほぼ同様のヘッドボード１ｊ及びフットボード２ｊを使用し、ヘッドボード１ｊ及びフットボード２ｊの間の両側にサイドフレーム３ｊ、３ｋを装着し、更にサイドフレーム３ｊ、３ｋの間に床部４ｊ、４ｋを載置して形成されている。
【００５１】
そして、ヘッドボード１ｊ及びフットボード２ｊの各支脚（符号省略）の下端にはキャスター６が取り付けられており、可動ベッドｂ４は手で押す等して簡単に動かすことができる。なお、サイドフレーム３ｊ、３ｋは、上記サイドフレーム３、３ａよりやや短く形成され、床部４ｊ、４ｋも上記床部４、４ａよりやや短く形成されている。
【００５２】
中段ベッドｂ２ｄは、高タイプのヘッドボード１ｄ及びフットボード２ｄを使用し、サイドフレーム３、３ａ及び床部４、４ａが床面から充分に高いので、床部４、４ａの下方の空間が広く、その空間に下段ベッドとなる上記可動ベッドｂ４を出し入れ自在に収容することができる。可動ベッドｂ４は、図２に示すように、空間にほぼ全体が収められている。
【００５３】
中段ベッドｂ２ｄの上に積み重ねられた上段ベッドｂ３ｄは、高タイプのヘッドボード１ｄ及びフットボード２ｄを使用し、中段ベッドｂ２ｄと同様に床部４、４ａの高さが高いので、中段ベッドｂ２ｄの床部４、４ａの上方に充分に広い空間が確保されている。
【００５４】
なお、システムベッドＢ２の作用については、可動ベッドｂ４が簡単に移動でき、使用者の生活スタイルや好みに合わせて位置や向きを調節できる点が異なるだけで、後の作用は上記システムベッドＢ１とほぼ同様であるので、詳しい説明は省略する。
【００５５】
図４を参照し、システムベッド（図示省略）から分離した一段ベッドの一例を説明する。
この一段ベッドｂ２ｂは、低タイプのヘッドボード１ｂ及びフットボード２ｂを使用したベッドである。しかしながら、一段ベッドとしては、床部４、４ａが低いベッドだけでなく、上記中高タイプのヘッドボード１ｃ及びフットボード２ｃを使用した一段ベッド又は高タイプのヘッドボード１ｄ及びフットボード２ｄを使用した一段ベッド、或いは図３に示すように上記可動ベッドｂ４を採用することもできる。
【００５６】
図５を参照する。
システムベッドＢ３は、下段ベッドｂ１ｂ及び上段ベッドｂ３ｄを有し、一段ベッド×２又は二段ベッド×１のそれぞれの形態で使用できるものである。
下段ベッドｂ１ｂは、中低タイプのヘッドボード１ｂ及びフットボード２ｂを使用し、サイドフレーム３、３ａと床部４、４ａが組み合わせられて形成されている。
【００５７】
また、下段ベッドｂ１ｂに積み重ねられた上段ベッドｂ３ｄは、高タイプのヘッドボード１ｄ及びフットボード２ｄを使用し、床部４、４ａの高さが高いので、下段ベッドｂ１ｂの床部４、４ａの上方に充分に広い空間が確保されている。
なお、システムベッドＢ３の作用については、三段ベッドが二段ベッドに変わっただけで、実質的な作用は上記システムベッドＢ１とほぼ同様であるので、詳しい説明は省略する。
【００５８】
図６を参照する。
システムベッドＢ４は、下段ベッドｂ１ａ及び上段ベッドｂ３ｃを有し、一段ベッド×２又は二段ベッド×１のそれぞれの形態で使用できるものである。
下段ベッドｂ１ａは、低タイプのヘッドボード１ａ及びフットボード２ａを使用し、サイドフレーム３、３ａと床部４、４ａが組み合わせられて形成されている。
【００５９】
また、下段ベッドｂ１ａに積み重ねられた上段ベッドｂ３ｃは、中高タイプのヘッドボード１ｃ及びフットボード２ｃを使用し、サイドフレーム３、３ａと床部４、４ａが組み合わせられて形成されている。システムベッドＢ４は、上記システムベッドＢ３と比較して全体の高さをやや低く設定したものである。
なお、システムベッドＢ４の作用については、システムベッドＢ３と同様に、三段ベッドが二段ベッドに変わっただけで、実質的な作用は上記システムベッドＢ１とほぼ同様であるので、詳しい説明は省略する。
【００６０】
図７を参照する。
システムベッドＢ５は、可動ベッドｂ４及び上段ベッドｂ３ｄを有し、一段ベッド×２又は二段ベッド×１のそれぞれの形態で使用できるものである。
上段ベッドｂ３ｄは、高タイプのヘッドボード１ｄ及びフットボード２ｄを使用し、サイドフレーム３、３ａと床部４、４ａが組み合わせられて形成されている。上段ベッドｂ３ｄは、サイドフレーム３、３ａと床部４、４ａの下方に充分な広さの空間を有し、その空間に下段ベッドとなる可動ベッドｂ４が配置され、可動ベッドｂ４は後部側の二分の一程が空間に収容されており、平面視でＬ型の二段ベッドを形成している。
【００６１】
なお、システムベッドＢ５の作用については、可動ベッドｂ４が簡単に移動でき、使用者の生活スタイルや好みに合わせて位置や向きを調節できる点が異なり、システムベッドＢ３、Ｂ４と同様に、三段ベッドが二段ベッドに変わっただけで、実質的な作用は上記システムベッドＢ１とほぼ同様であるので、詳しい説明は省略する。
【００６２】
図９を参照する。
システムベッドＢ６は、可動ベッドｂ４、中段ベッドｂ２ｄ及び上段ベッドｂ３ｃを有し、一段ベッド×３、二段ベッド×１＋一段ベッド×１、又は三段ベッド×１のそれぞれの形態で使用できるものである。
【００６３】
ここで、まず図１０を参照し、システムベッドＢ６、及び棚の無いヘッドボードを有する他のシステムベッドに使用するフットボードとヘッドボードについて説明する。
図１０（ａ）に示したものは低タイプ、（ｂ）は中低タイプ、（ｃ）は中高タイプ、（ｄ）は高タイプである。なお、フットボードについては、上記フットボード２ａ、２ｂ、２ｃ、２ｄと同じ構造であるので、図１０では同じ符号を付して、構造の説明は省略する。
【００６４】
低タイプのヘッドボード１ｅは、フットボード２ａと対称構造である。すなわち、ヘッドボード１ｅは、片側（図１０で右側）に梯子部１００ｅを有している。梯子部１００ｅは、二本の縦部材１０１、１０２に足掛かりとなる横木１０３を二段に取り付けた構造である。梯子部１００ｅの反対側には支脚１０４を有しており、梯子部１００ｅと支脚１０４は、上下二段の中部材１０５でつながれている。梯子部１００ｅの縦部材１０１、１０２の長さは、支脚１０４と同じ長さであり、梯子部１００ｅは支脚１０４と同様に支脚としての機能を有している。
【００６５】
支脚１０４及び縦部材１０１、１０２のそれぞれの上面には、その上に載置されるフットボードを固定するためのピン孔１０８がそれぞれ一箇所に形成されている。また、支脚１０４と縦部材１０２の後面の上部側には、後で説明するサイドフレーム３、３ａを固定するためのピン孔１０６が形成されており、支脚１０４と縦部材１０２の後面の下部側には、金具掛け１０７が設けられている。
【００６６】
なお、後で説明するヘッドボード１ｆ、１ｇ、１ｈの支脚１０４と縦部材１０１、１０２の長さは、上記ヘッドボード１ｅを構成する支脚１０４と縦部材１０１、１０２の長さと異なり、順次長くなるよう形成されているが、便宜上同じ符号を付して示している。また、それ以外の同等箇所についても同一の符号（ピン孔１０６、１０８、金具掛け１０７、中部材１０５等）を付している。
【００６７】
そして、中低タイプのヘッドボード１ｆは、上記ヘッドボード１ｅと比較して支脚１０４及び梯子部１００ｆの長さ（縦部材１０１、１０２の長さ）がやや長くなっている。また、中高タイプのヘッドボード１ｇは、上記ヘッドボード１ｆと比較して支脚１０４及び梯子部１００ｇの長さ（縦部材１０１、１０２の長さ）がやや長くなっている。更に、高タイプのヘッドボード１ｈは、上記ヘッドボード１ｇと比較して支脚１０４及び梯子部１００ｈの長さ（縦部材１０１、１０２の長さ）がやや長くなっている。
【００６８】
システムベッドＢ６は、可動ベッドｂ４と、中段ベッドｂ２ｈ及び上段ベッドｂ３ｇを有し、一段ベッド×３、二段ベッド×１＋一段ベッド×１、又は三段ベッド×１のそれぞれの形態で使用できるものである。中段ベッドｂ２ｈ及び上段ベッドｂ３ｇに使用されているヘッドボード１ｇ及びヘッドボード１ｈは、棚部がないタイプである。
【００６９】
中段ベッドｂ２ｈは、高タイプのヘッドボード１ｈ及びフットボード２ｄを使用し、サイドフレーム３、３ａと床部４、４ａが組み合わせられて形成されている。中段ベッドｂ２ｈに積み重ねられた上段ベッドｂ３ｇは、中高タイプのヘッドボード１ｇ及びフットボード２ｃを使用し、サイドフレーム３、３ａと床部４、４ａが組み合わせられて形成されている。
そして、中段ベッドｂ２ｈは、サイドフレーム３、３ａと床部４、４ａの下方に充分な広さの空間を有し、その空間に下段ベッドとなる可動ベッドｂ４が配置され、可動ベッドｂ４は後部側の二分の一程が空間に収容されており、平面視でＬ型の三段ベッドを形成している。
【００７０】
なお、システムベッドＢ６の作用については、可動ベッドｂ４が簡単に移動でき、使用者の生活スタイルや好みに合わせて位置や向きを調節できる点が異なるだけで、実質的な作用は上記システムベッドＢ１とほぼ同様であるので、詳しい説明は省略する。
【００７１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００７２】
Ｂ１  システムベッド
ｂ１ａ  下段ベッド
１ａ  ヘッドボード
２ａ  フットボード
２０ａ  梯子部
３、３ａ  サイドフレーム
４、４ａ  床部
ｂ２ｃ  中段ベッド
１ｃ  ヘッドボード
２ｃ  フットボード
２０ｃ  梯子部
ｂ３ｃ  上段ベッド
５  立て梯子
Ｂ２  システムベッド
ｂ４  可動ベッド
１ｊ  ヘッドボード
２ｊ  フットボード
３ｊ、３ｋ  サイドフレーム
４ｊ、４ｋ  床部
６  キャスター
ｂ２ｄ  中段ベッド
１ｄ  ヘッドボード
２ｄ  フットボード
２０ｄ  梯子部
ｂ３ｄ  上段ベッド
Ｂ３  システムベッド
ｂ１ｂ  下段ベッド
１ｂ  ヘッドボード
２ｂ  フットボード
２０ｂ  梯子部
Ｂ４  システムベッド
Ｂ５  システムベッド
Ｂ６  システムベッド
１ａ、１ｂ、１ｃ、１ｄ  ヘッドボード
１１、１２  側板
１３  中部材
１６  ピン孔
１７  金具掛け
１８  ピン孔
１９  棚部
２ａ、２ｂ、２ｃ、２ｄ  フットボード
２０ａ、２０ｂ、２０ｃ、２０ｄ  梯子部
２１、２２  縦部材
２３  横木
２４  支脚
２５  中部材
１ｅ、１ｆ、１ｇ、１ｈ  ヘッドボード
１００ｅ、１００ｆ、１００ｇ、１００ｈ  梯子部
１０１、１０２  縦部材
１０３  横木
１０６  ピン孔
１０７  金具掛け
１０８  ピン孔
【図１】
2015096122.tif 000003
【図２】
2015096122.tif 000004
【図３】
2015096122.tif 000005
【図４】
2015096122.tif 000006
【図５】
2015096122.tif 000007
【図６】
2015096122.tif 000008
【図７】
2015096122.tif 000009
【図８】
2015096122.tif 000010
【図９】
2015096122.tif 000011
【図１０】
2015096122.tif 000012